(57)【要約】【課題】信頼性を高め得る。【解決手段】紙幣入出金機２は、行員が解除レバー２９を引かずに入出金機筐体１５をシステム筐体１３に押し込んだ際はロックレバー３２の第１ポスト当接面５６にロックポスト３３を当接させる一方、行員が解除レバー２９を引きながら入出金機筐体１５をシステム筐体１３に押し込んだ際は第２レバー３４の第２ポスト当接面６０にロックポスト３３を当接させるようにした。【選択図】図１２
2014098998.tif 000002
【特許請求の範囲】
【請求項１】
所定の空間を内部に具え、少なくとも一側面に開口部が形成された筐体と、
上記筐体内の所定のロック位置に収納可能であると共に、上記開口部を介して上記筐体の外部に引き出し可能に設けられた引出と、
上記筐体に設けられたロックポストと、
上記引出に設けられ、上記引出が上記ロック位置にあるときに上記ロックポストに掛止するロックレバーと、
上記ロックレバーと共に上記引出に設けられた第２レバーと
を有し、
上記引出は、上記筐体に向かって移動した際、上記ロックレバー又は上記第２レバーのいずれかが上記ロックポストに突き当たることにより、上記ロック位置よりも手前で一旦停止する
引出装置。
【請求項２】
上記引出の前面に設けられ、上記引出が上記ロック位置にある際に上記筐体の上記開口部を閉鎖する引出パネルと、
上記引出パネルの前面に設けられ、上記ロックレバー及び上記第２レバーを回動させる解除レバーと、
上記引出は、上記解除レバーが操作されずに上記筐体に向かって移動した場合、上記ロックレバーが上記ロックポストに当接することにより第１停止位置において一旦停止し、上記引出パネルと上記筐体との間に隙間を形成する
請求項１に記載の引出装置。
【請求項３】
上記引出は、上記解除レバーが操作されつつ上記筐体に向かって移動した場合、上記第２レバーが上記ロックポストに当接することにより第２停止位置において一旦停止する
請求項２に記載の引出装置。
【請求項４】
上記第２停止位置において上記引出が一旦停止し、上記解除レバーの操作が中止され上記引出が上記筐体に向かって再び移動した場合、上記ロックレバーが上記ロックポストに当接し、上記引出が上記第１停止位置において一旦停止する
請求項３に記載の引出装置。
【請求項５】
上記解除レバーが操作されない場合、上記引出の移動方向と上記ロックレバーの回転軸方向とに直角な方向にほぼ沿うように形成された上記ロックレバーの後端面に上記ロックポストが当接し、上記引出が上記第１停止位置において一旦停止する
請求項４に記載の引出装置。
【請求項６】
上記ロックレバーと上記第２レバーとを互いに近づく方向に付勢する付勢部をさらに有し、
上記解除レバーが操作された際、上記ロックレバー及び上記第２レバーは共に第１回転方向に回動し、上記ロックレバーよりも後方において、上記引出の移動方向と上記ロックレバー及び第２レバーの回転軸方向とに直角な第１方向にほぼ沿うように形成された上記第２レバーの後端面に上記ロックポストが当接し、上記引出が上記第２停止位置において一旦停止する
請求項４に記載の引出装置。
【請求項７】
上記第２停止位置において上記引出が一旦停止し、上記解除レバーの操作が中止されると、上記ロックレバー及び上記第２レバーが上記第１回転方向とは逆の第２回転方向に回動することにより、上記ロックポストが上記第２レバーの後端面から外れ、上記引出が上記筐体に向かって移動した場合、上記第１方向にほぼ沿うように形成された上記ロックレバーの後端面に上記ロックポストが当接し、上記引出が上記第１停止位置において一旦停止する
請求項６に記載の引出装置。
【発明の詳細な説明】
【技術分野】
【０００１】
本発明は引出装置に関し、例えば、金融機関の営業店に設置される出納システムに設けられた紙幣入出金機に適用して好適なものである。
【背景技術】
【０００２】
従来、出納システムは、金融機関内等に設置されており、例えば紙幣を入出する紙幣入出金機や紙幣を所定枚数ごとに施封する施封小束支払機等、紙幣や硬貨の取引に関する種々の処理を行う複数種類の装置の組み合わせにより構成されている。
【０００３】
紙幣入出金機は、紙幣の入金処理及び出金処理等を行う機構が組み込まれた入出金機筐体が出納システムのシステム筐体内に収納されており、当該入出金機筐体内部の紙幣等を保護するようになされている。その一方で紙幣入出金機は、紙幣の入出金処理を行う際には、金融機関の行員等に操作させる必要がある。
【０００４】
そこで出納システムのなかには、システム筐体の前面や背面を開閉可能な扉により構成すると共に、当該扉を開いた状態で入出金機筐体を所定のスライド機構等により外部へ引き出し得るように構成されたものが提案されている（例えば、特許文献１参照）。
【０００５】
図２３に示すように従来のシステム筐体１３の右壁の内側面には、スライドレール２８の近傍に円筒形状でなるロックポスト３３が取り付けられている。
【０００６】
また入出金機筐体１５の右側面には、ロックポスト３３とほぼ同等の高さにおいて、スライドレール２８の近傍にロックレバー２３２が設けられ、当該ロックレバー２３２は図示しないスプリングにより図２４図中時計回りに付勢されている。
【０００７】
入出金機筐体１５をシステム筐体１３に収納する際、行員が当該入出金機筐体１５を後方へ押し込むと、第１ポスト摺動面２５８がロックポスト３３に当接することによりロックレバー１３２がロック軸３６を中心に図２４中反時計回りに回動し、ロックポスト３３に乗り上げる。
【０００８】
さらに入出金機筐体１５が押し込まれると、入出金機筐体１５が所定のユニットロック位置まで移動し、図２５に示すようにロックレバー２３２がロックポスト３３に掛止することにより入出金機筐体１５がシステム筐体１３に対しロックされ、入出金機筐体１５の前面に設けられた入出金機パネル１４が、システム筐体１３の開口部１３Ａを閉鎖する。
【先行技術文献】
【特許文献】
【０００９】
【特許文献１】実公平６−３１５７１号公報（第１図）
【発明の概要】
【発明が解決しようとする課題】
【００１０】
この出納システムにおいては、入出金機筐体１５をシステム筐体１３に押し込むと、ユニットロック位置まで一気に移動するため、入出金機パネル１４の縁に行員が指を掛けたまま押し込んでしまった場合、指を挟んでしまう可能性があり、信頼性が低下してしまうおそれがあった。
【００１１】
本発明は以上の点を考慮してなされたもので、信頼性を向上し得る引出装置を提案しようとするものである。
【課題を解決するための手段】
【００１２】
かかる課題を解決するため本発明の引出装置においては、所定の空間を内部に具え、少なくとも一側面に開口部が形成された筐体と、筐体内の所定のロック位置に収納可能であると共に、開口部を介して筐体の外部に引き出し可能に設けられた引出と、筐体に設けられたロックポストと、引出に設けられ、引出がロック位置にあるときにロックポストに掛止するロックレバーと、ロックレバーと共に引出に設けられた第２レバーとを設け、引出は、筐体に向かって移動した際、ロックレバー又は第２レバーのいずれかがロックポストに突き当たることにより、ロック位置よりも手前で一旦停止するようにした。
【００１３】
これにより、引出を筐体に押し込んだ際、ユニットロック位置の前に一旦引出を停止させることができる。
【発明の効果】
【００１４】
本発明によれば、引出を筐体に押し込んだ際、ユニットロック位置の前に一旦引出を停止させることができる。かくして本発明は、信頼性を向上し得る引出装置を実現できる。
【図面の簡単な説明】
【００１５】
【図１】出納システムの全体構成を示す斜視図である。
【図２】第１の実施の形態による収納状態の紙幣入出金機の内部構成を示す右側面図である。
【図３】第１の実施の形態による引出状態の入出金機筐体（１）を示す右側面図である。
【図４】第１の実施の形態による引出状態の入出金機筐体（２）を示す斜視図である。
【図５】第１の実施の形態によるロック部における非ロック状態を示す右側面図である。
【図６】第１の実施の形態によるロック部における第２頂点がロックポストに接触した状態を示す右側面図である。
【図７】第１の実施の形態によるロック部における第１停止状態を示す右側面図である。
【図８】第１の実施の形態によるロック部における第１停止状態からロックレバーが反時計回りに回動した状態を示す右側面図である。
【図９】第１の実施の形態によるロック部におけるロック状態を示す右側面図である。
【図１０】第１停止状態の紙幣入出金機を示す右側面図である。
【図１１】第１の実施の形態によるロック部において非ロック状態からロック機構が反時計回りに回動した状態を示す右側面図である。
【図１２】第１の実施の形態によるロック部における第２停止状態を示す右側面図である。
【図１３】第２停止状態の紙幣入出金機を示す右側面図である。
【図１４】第１の実施の形態によるロック部におけるロック状態からロックレバーが反時計回りに回動した状態を示す右側面図である。
【図１５】第２の実施の形態による収納状態の紙幣入出金機の内部構成を示す右側面図である。
【図１６】第２の実施の形態による引出状態の入出金機筐体を示す右側面図である。
【図１７】第２の実施の形態によるロック部における非ロック状態を示す右側面図である。
【図１８】第２の実施の形態によるロック部における第３停止状態を示す右側面図である。
【図１９】第２の実施の形態によるロック部におけるロックレバーがロックポストに乗り上げた状態を示す右側面図である。
【図２０】第２の実施の形態によるロック部におけるロック状態を示す右側面図である。
【図２１】第２の実施の形態によるロック部において非ロック状態からロックレバーが反時計回りに回動した状態を示す右側面図である。
【図２２】第２の実施の形態によるロック部における第４停止状態を示す右側面図である。
【図２３】従来の引出状態の入出金機筐体を示す斜視図である。
【図２４】従来のロック部における非ロック状態を示す右側面図である。
【図２５】従来のロック部におけるロック状態を示す右側面図である。
【発明を実施するための形態】
【００１６】
以下、発明を実施するための形態（以下実施の形態とする）について、図面を用いて説明する。
【００１７】
［１．第１の実施の形態］
［１−１．出納システムの構成］
図１において、出納システム１は、例えば金融機関の営業店において図示しない接客用カウンタの後方に設置され、金銭に関する入金や出金等の各種処理を総合的に実行するようになされている。この出納システム１は、紙幣に対し各種処理を行う複数の装置がシステム筐体１３に収納された構成となっている。
【００１８】
出納システム１は、紙幣を１枚単位で入出金する紙幣入出金機２と、金種別の紙幣を所定枚数（例えば１００枚）毎に施封して小束にした状態で収納し、また紙幣の小束を出金する施封小束支払機３とを有している。
【００１９】
また出納システム１は、例えば金融機関の営業店、小売店や公共施設等に設置される現金自動預払機（ＡＴＭ：Automatic Teller Machine、図示せず）に着脱可能で、当該現金自動預払機で行われる取引用の紙幣を収納する補充回収カセットに紙幣を補充し、また補充回収カセットから紙幣を回収する紙幣補充回収機４も有している。
【００２０】
さらに出納システム１は、各金種の新券（新札）を出金する新券支払機５と、金種別の一定枚数毎に棒状に重ねて包まれた硬貨（いわゆる棒金）を出金するための棒金支払機６と、硬貨を１枚単位で入出金する硬貨入出金機７とも有している。
【００２１】
さらに出納システム１は、紙幣入出金機２や施封小束支払機３、紙幣補充回収機４、新券支払機５、棒金支払機６及び硬貨入出金機７で行われる入金や出金等の処理内容を認証して所定の帳票等に印字し排出する認証プリンタ８と、及び現金以外の小切手や定期預金証書等の有価証券を取り込んで入金処理する現金外ポスト９とも有している。
【００２２】
さらに出納システム１は、入金や出金等の各種処理に関する種々の情報を表示するディスプレイ１０と、入金や出金等の各種処理に関する種々の情報や指示等を入力するためのキーボード１１と、出納システム１全体を統括制御する制御装置１２とも有している。
【００２３】
出納システム１は、これら各種装置の少なくとも一部については比較的自由に配置することができるものの、棒金支払機６、施封小束支払機３、紙幣補充回収機４、紙幣入出金機２、制御装置１２及び硬貨入出金機７が、各々の正面を同一方向に向け互いに隣接するよう横一列に配置されている。
【００２４】
因みに以下の説明では、出納システム１における棒金支払機６、施封小束支払機３、紙幣補充回収機４、紙幣入出金機２、制御装置１２及び硬貨入出金機７それぞれの正面が向く方向を前方向と定義し、その反対を後方向と定義して、さらに当該出納システム１の前側に対峙して見たときの左右方向及び上下方向をそれぞれ定義する。
【００２５】
また出納システム１は、紙幣補充回収機４の前上側に新券支払機５が組み込まれて一体化されていると共に、当該紙幣補充回収機４に認証プリンタ８が載置されている。
【００２６】
さらに出納システム１は、紙幣入出金機２にディスプレイ１０が正面を前方向に向けて載置されると共に、当該ディスプレイ１０の前にキーボード１１が載置されている。さらに出納システム１は、硬貨入出金機７に現金外ポスト９が載置されている。
【００２７】
そして出納システム１では、右方向に沿って順次隣接させるようにして配置された施封小束支払機３、紙幣補充回収機４及び紙幣入出金機２が、紙幣を左方向及び右方向に搬送する装置間搬送部（図示せず）によって接続されている。
【００２８】
これにより出納システム１は、施封小束支払機３、紙幣補充回収機４及び紙幣入出金機２の間で、施封や補充、回収等の各種処理に用いる紙幣を適宜、装置間搬送部を介して搬送して受け渡すことができるようになされている。
【００２９】
［１−２．紙幣入出金機の外観構成］
図２に示すように、紙幣入出金機２は、略箱型の筐体（以下、これを入出金機筐体とも呼ぶ）１５を有し、所定の空間を内部に具えるシステム筐体１３の前端部分においてそれぞれ当該システム筐体１３の枠を残すように形成された開口部１３Ａの内部の空間に収納されている。
【００３０】
入出金機筐体１５の前面には板状でなる入出金機パネル１４が固定され、入出金機筐体１５がシステム筐体１３に収納された状態において当該入出金機パネル１４の後面がシステム筐体１３の枠に接することにより、システム筐体１３の開口部１３Ａを閉鎖している。
【００３１】
また入出金機パネル１４の前面には、行員が指を掛けて手前に引くことによりロック部３０（後述する）のロックを解除することが可能な解除レバー２９が設けられている。
【００３２】
この入出金機筐体１５は、スライドレール２８を介してシステム筐体１３に取り付けられている。スライドレール２８は、前後方向に延長されたレール状の部品や複数のローラ等（図示せず）の組み合わせにより構成されており、システム筐体１３に対し入出金機筐体１５を前方向又は後方向へ直線的に且つ円滑に移動させるようになされている。
【００３３】
またスライドレール２８は、システム筐体１３に対する入出金機筐体１５の移動範囲を規定しており、図２及び図３に示した位置の間で当該入出金機筐体１５を移動させる。
【００３４】
出納システム１は、図２に示したように入出金機筐体１５をシステム筐体１３の内部に収納することにより、当該入出金機筐体１５内の各部や紙幣等を保護する。以下これを入出金機筐体１５の収納状態と呼ぶ。
【００３５】
この収納状態において、入出金機筐体１５はシステム筐体１３に対しロック部３０でロックされることにより所定のユニットロック位置に位置決めされる。
【００３６】
一方出納システム１は、ジャム紙幣の除去或いは消耗品の補充等の保守作業が行われる場合、行員が解除レバー２９に指を掛けて手前へ引きロック部３０のロックを解除し、図３及び図４に示すように入出金機筐体１５を前方向へ移動させて、当該入出金機筐体１５のほぼ全体をシステム筐体１３の外部に引き出した状態とする。
【００３７】
以下では、入出金機筐体１５がシステム筐体１３からほぼ全体が引き出されているか否かに拘わらず、当該入出金機筐体１５がユニットロック位置から前側に引き出された状態を引出状態と呼ぶ。
【００３８】
［１−３．紙幣入出金機の内部構成］
入出金機筐体１５内には、上側の所定位置に、上述した制御装置１２からの指示のもとに紙幣入出金機２全体を制御する制御部１６が配置されている。
【００３９】
この入出金機筐体１５には、正面上寄りに、出金用の紙幣を行員に引き渡すための紙幣引渡部１７と、紙幣を返却するための紙幣返却部１８と、行員から入金用の紙幣を受け取るための紙幣受取部１９とが上から下へ順に配置されている。
【００４０】
また入出金機筐体１５内には、紙幣受取部１９の後側に、入金用の紙幣を鑑別するための入金紙幣鑑別部２０が配置されている。
【００４１】
また入出金機筐体１５内には、背面近傍の上寄りに、破損している紙幣や折れ癖、曲がり癖がついている紙幣等のような異常な紙幣（以下、これを特にリジェクト紙幣とも呼ぶ）を収納するためのリジェクト庫２１が配置されている。
【００４２】
さらに入出金機筐体１５内には、中央部に一時保留ユニット２２が収納されている。一時保留ユニット２２には、紙幣の金種別に用意された複数（例えば４個）の一時保留部２３が前から後ろへ順に配置されている。
【００４３】
また一時保留ユニット２２内には、複数の一時保留部２３よりも後ろ（すなわち最も後ろ）に、出金用の紙幣を鑑別するための出金紙幣鑑別部２４が配置されている。
【００４４】
これに加え入出金機筐体１５内には、下側に紙幣収納ユニット２５が収納されている。紙幣収納ユニット２５には、複数の一時保留部２３に対応させて紙幣の金種別に用意された複数（例えば４個）の紙幣収納庫２６が、その上端を当該一時保留部２３の下端面に対向させて前から後ろへ順に配置されている。
【００４５】
かかる構成のもと制御部１６は、紙幣の入金時、行員により紙幣受取部１９内に複数の紙幣が投入されると、当該紙幣受取部１９内から複数の紙幣を所定の紙幣繰出機構によって１枚ずつ繰り出し搬送路２７を介して入金紙幣鑑別部２０へ搬送して、当該入金紙幣鑑別部２０において紙幣の金種や状態等を鑑別させる。
【００４６】
制御部１６は、異常であると鑑別されて入金紙幣鑑別部２０から繰り出された紙幣については、リジェクト紙幣として搬送路２７を介し紙幣返却部１８へ搬送し、行員に返却する。
【００４７】
これに対し制御部１６は、正常であると鑑別されて入金紙幣鑑別部２０から繰り出された紙幣については、搬送路２７を介して当該紙幣の金種に応じた一時保留部２３へ搬送する。
【００４８】
そして制御部１６は、紙幣受取部１９に投入された紙幣が入金紙幣鑑別部２０において全て鑑別されると、正常であると鑑別された紙幣の総額（すなわち入金の金額）を、上述の制御装置１２経由でディスプレイ１０を介して行員に提示する。
【００４９】
制御部１６は、入金の金額を確認した行員によりキーボード１１を介して紙幣の入金が指示されると、一時保留部２３から一時的に保持していた紙幣を落下させるようにして紙幣収納庫２６に収納することにより、紙幣の入金を行う。
【００５０】
一方制御部１６は、紙幣の出金時、行員によりキーボード１１を介して出金の金額が指定されると、紙幣収納庫２６から所定の紙幣繰出機構によって、その指定された金額分の紙幣を１枚ずつ繰り出し搬送路２７を介して出金紙幣鑑別部２４へ搬送して、当該出金紙幣鑑別部２４において紙幣の金種や状態等を鑑別させる。
【００５１】
制御部１６は、正常であると鑑別されて出金紙幣鑑別部２４から繰り出された紙幣については、搬送路２７を介して紙幣引渡部１７へ搬送し行員に引き渡すことにより、紙幣の出金を行う。
【００５２】
ただし制御部１６は、出金紙幣鑑別部２４により異常であると鑑別されて繰り出された紙幣については、リジェクト紙幣として搬送路２７を介してリジェクト庫２１へ搬送して、当該リジェクト庫２１内に所定の紙幣取込機構によって取り込む。
【００５３】
このようにして制御部１６は、紙幣の出金時、紙幣収納庫２６から繰り出した紙幣の中でリジェクト紙幣を発見すると、そのリジェクト紙幣を分別してリジェクト庫２１に収納し、その後出金には用いないようにする。
【００５４】
入出金機筐体１５内には、背面側上寄りに上述の装置間搬送部（図示せず）が配置されている。これにより制御部１６は、紙幣補充回収機４から紙幣が鑑別された後、装置間搬送部を介して搬送されると、その紙幣を搬送路２７を介して一時保留部２３へ搬送し、これら一時保留部２３を介して紙幣収納庫２６に収納する。
【００５５】
また制御部１６は、各紙幣収納庫２６から繰り出した紙幣を、出金紙幣鑑別部２４で鑑別した後、装置間搬送部を介して施封小束支払機３や紙幣補充回収機４へ搬送する。
【００５６】
このようにして制御部１６は、紙幣補充回収機４により補充回収カセットから回収された紙幣を保管し、また紙幣補充回収機４に補充回収カセットに補充するための紙幣を供給し、さらに施封小束支払機３に施封して小束にするための紙幣を供給するようになされている。
【００５７】
［１−４．ロック部の構成］
入出金機筐体１５の引出状態においてロック機構３１がロックポスト３３に掛止していない非ロック状態を図５に示すように、ロック部３０は、ロックポスト３３と、当該ロックポスト３３に掛止するロック機構３１とにより構成されている。
【００５８】
ロックポスト３３は円筒形状でなり、システム筐体１３の右壁の内側面においてスライドレール２８の上側の近傍に取り付けられている。
【００５９】
ロック機構３１は、入出金機筐体１５の右側面のスライドレール２８の上側の近傍においてロックポスト３３とほぼ同等の高さに設けられている。
【００６０】
ロック機構３１は主に、回動可能なロックレバー３２と、当該ロックレバー３２の下側に設けられた第２レバー３４とにより構成されている。
【００６１】
ロックレバー３２は、全体として正面視において下方が開口するコの字形状の金属板であると共に、右側面視において鈎状となっている。
【００６２】
ロックレバー３２における前後方向のほぼ中央部分には、下から上に向かってロックレバー３２の一部が略コの字形に切り欠かれた凹部４２が設けられている。
【００６３】
またロックレバー３２における凹部４２から後端にかけては、後方に向かって下端が上方へ削れた掛止部４４が形成されている。このため、掛止部４４の前側下端には凸部４６が、後端面には第１ポスト当接面５６が、下端面には第１ポスト摺動面５８がそれぞれ形成されている。
【００６４】
ロックレバー３２の第１ポスト当接面５６と第１ポスト摺動面５８とが接する第１頂点６４は、非ロック状態においてロックポスト３３の中心であるポスト中心３３Ｃよりも下方に位置している。また第１ポスト当接面５６は、非ロック状態において鉛直方向に沿って延びている。
【００６５】
第２レバー３４は、全体として正面視において上方が開口するコの字形状の金属板であり、ロックレバー３２の正面視コの字形状の内部に入り込むように配置され、右側面視において、前方から後方斜め下方向に延びたあと、後方に向かうようにやや湾曲している。
【００６６】
また第２レバー３４における後ろ部分の上端面には非ロック状態において水平方向に沿う第２ポスト摺動面６２が、後端面には第２ポスト当接面６０がそれぞれ形成されている。第２ポスト摺動面６２の後端部には、上方に向かって突出する突出部５５が形成されている。
【００６７】
第２ポスト摺動面６２は、ロックポスト３３の最下点であるポスト最下点３３Ｌと同じ上下位置（高さ）となっている。また第２ポスト当接面６０と第２ポスト摺動面６２とが接する（すなわち突出部５５の上端部である）第２頂点６６は、非ロック状態においてポスト中心３３Ｃよりも下方に位置している。
【００６８】
また第２頂点６６は、非ロック状態において、ロックポスト３３の直径であるポスト直径３３Ｒの長さ以上に第１頂点６４よりも後方に位置している。
【００６９】
さらに第２レバー３４の下端面と第２ポスト当接面６０とが接する頂点には、第３頂点６８が形成されている。
【００７０】
ロックレバー３２及び第２レバー３４の前寄りには、入出金機筐体１５に固定された円筒形状でなるロック軸３６が左右方向に挿通している。ロック軸３６の中心であるロック軸中心３６Ｃは、ロックポスト３３のポスト中心３３Ｃと同様の高さに位置している。
【００７１】
またロックレバー３２及び第２レバー３４は、図示しない回転限度制限部材に当接することにより、時計回り及び反時計回りの回動の限界角度が規制されている。これによりロックレバー３２は、ロック軸３６を中心として図５中時計回り及び反時計回りに一定の角度範囲で回動可能に構成されていると共に、第２レバー３４は、ロック軸３６を中心としてロックレバー３２に対し図５中時計回り及び反時計回りに一定の角度範囲で回動可能に構成されている。
【００７２】
またロックレバー３２には、図示しない引張ばねでなるスプリングの一端が取り付けられることにより、ロック軸３６を中心として図５中時計回りに付勢力が加えられている。
【００７３】
ロックレバー３２の前端部において前方に突出した当接部４８には、非ロック状態において、入出金機筐体１５から右方向に延びた円筒形状でなる回転抑止軸４０の下端部が当接している。
【００７４】
このためロックレバー３２は、非ロック状態においてスプリングの付勢力により時計回りに付勢されつつ、回転抑止軸４０に当接部４８が当接することにより、それ以上の時計回りの回転が抑止され、所定の回動位置に位置決めされる。
【００７５】
またロックレバー３２は、ロックポスト３３に掛止するロック状態において、スプリングの付勢力により時計回りに付勢されることにより、ロックポスト３３に確実に掛止することができる。
【００７６】
ロック軸３６には、トーションスプリング３８が嵌め込まれている。このトーションスプリング３８は、１本の金属棒の中央部分である巻装部５０がロック軸３６に巻装し、当該巻装部５０から上腕部５２が上方向へ、下腕部５４が下方向へそれぞれ延びている。
【００７７】
トーションスプリング３８は、上腕部５２の上端部及び下腕部５４の下端部が自然状態よりも前側に位置する状態で、それぞれロックレバー３２の前端部近傍と第２レバー３４の前端部近傍とに当接している。
【００７８】
このためトーションスプリング３８は、自然状態に戻ろうとする反発力により、上腕部５２はロックレバー３２に対し時計回りの付勢力を加える一方、下腕部５４は第２レバー３４に対し反時計回りの付勢力を加える。すなわちトーションスプリング３８は、ロックレバー３２及び第２レバー３４を互いに閉じる方向へ付勢する。
【００７９】
第２レバー３４の前方上部におけるロック軸３６の後方からは、板状の近接抑止部４９が突設している。近接抑止部４９にロックレバー３２が当接することにより、それぞれロックレバー３２の時計回りの回動と第２レバー３４の反時計回りの回動とが規制されるため、ロックレバー３２及び第２レバー３４は、閉じる方向へ付勢されつつ互いの位置が位置決めされる。これにより第２レバー３４は、ロックレバー３２に常に引きつけられつつ従動して回動する。
【００８０】
またロックレバー３２は、解除レバー２９（図２乃至図４）と図示しないリンクにより連結されており、解除レバー２９を引くように行員が操作することにより、反時計回りに回動する。第２レバー３４は、ロックレバー３２と共に反時計回りに回動する。
【００８１】
このためロックレバー３２及び第２レバー３４は、スプリングの付勢力よりも大きな力で行員により反時計回りに力を加えられると、ロック軸３６を支点として図５中反時計回りに回動する一方、当該力が外されると、スプリングの付勢力により時計回りに回動する。
【００８２】
［１−５．ロック部の動作］
［１−５−１．解除レバーを引かずに入出金機筐体を押し込んだ場合］
行員が解除レバー２９を引かずに入出金機筐体１５を押し込んだ場合、入出金機筐体１５と共にロック機構３１がロックポスト３３へ向かって水平方向に沿って後方へ移動する。
【００８３】
ロックポスト３３は、図６に示すようにまず第２頂点６６に接触する。第２頂点６６はポスト中心３３Ｃよりも下方に位置しているため、第２レバー３４を時計回りに回動させる力がロックポスト３３から加わる。この力が、トーションスプリング３８による反時計回りの付勢力を上回ると、第２レバー３４は時計回りに回動し、ロックポスト３３が第２頂点６６を乗り越えることにより、ロック機構３１が後方へ移動する。
【００８４】
続いてロック機構３１は、トーションスプリング３８からの付勢力により図７に示すように第２レバー３４の第２ポスト摺動面６２をロックポスト３３に摺動させつつ後方へ移動する。
【００８５】
このとき第２頂点６６が非ロック状態においてポスト直径３３Ｒの長さ以上に第１頂点６４よりも後方に位置しているため、ロックポスト３３が第２頂点６６を乗り越え、当該第２頂点６６と第１ポスト当接面５６との間に入り込む。
【００８６】
また第２レバー３４は、後端部に形成された突出部５５により、ロックポスト３３が第２ポスト摺動面６２から後方へ外れてしまうことを防止している。
【００８７】
さらに第２レバー３４は、仮に第２ポスト摺動面６２をポスト最下点３３Ｌよりも高く設定した場合、ロックポスト３３に当接すると第２レバー３４が時計回りに回動するため、その分下側にスペースが必要となる。
【００８８】
これに対し第２レバー３４は、第２ポスト摺動面６２をポスト最下点３３Ｌと同じ高さとしたため、ロックポスト３３に当接しても第２レバー３４が時計回りに回動せず、下側に必要となるスペースを削減することができる。
【００８９】
続いて図７に示したようにロックレバー３２の第１ポスト当接面５６にロックポスト３３が当接する。このとき第１頂点６４がポスト中心３３Ｃよりも下側にあり、且つ鉛直方向に沿って延びる第１ポスト当接面５６に対し、ロック軸３６と同じ高さに位置しているロックポスト３３が水平方向に沿って当接するため、ロックレバー３２はほとんど回動しない。
【００９０】
これにより入出金機筐体１５は、第１ポスト当接面５６がロックポスト３３に突き当たった状態で停止する。以下では、この状態における入出金機筐体１５の位置を第１停止位置とも呼び、第１停止位置に入出金機筐体１５が位置している状態を第１停止状態とも呼ぶ。
【００９１】
第１停止状態から行員が解除レバー２９を操作すると、ロックレバー３２は反時計回りに回動し、さらに行員が入出金機筐体１５を押し込むと、図８に示すように第１ポスト摺動面５８がロックポスト３３に乗り上がることにより、ロック機構３１はさらに後方へ移動する。
【００９２】
やがて入出金機筐体１５がユニットロック位置に達してそれ以上後方へ移動しなくなったとき、行員が解除レバー２９から手を離すことにより、ロックレバー３２は時計回りに回動し、図９に示すように凹部４２がロックポスト３３に掛止し、ロック状態となる。
【００９３】
このロック状態においては、解除レバー２９を操作せずに入出金機筐体１５に前方向の力が加えられた場合（すなわち行員が解除レバー２９を操作せずに入出金機筐体１５を引き出そうとした場合）、掛止部４４がロックポスト３３に当接することにより、入出金機筐体１５の前方への移動が防止される。
【００９４】
このように、解除レバー２９を引かずに行員が入出金機筐体１５をシステム筐体１３に押し込んだ場合、まず第１停止位置において入出金機筐体１５の後方への移動が停止する。
【００９５】
この第１停止位置は、ユニットロック位置よりも手前であるため、図１０に示すようにシステム筐体１３と入出金機パネル１４との間には隙間ＳＰ１が存在する。このため、行員が入出金機パネル１４に指を掛けていたとしても、入出金機パネル１４とシステム筐体１３との間に指を挟んでしまうことはない。
【００９６】
この隙間ＳＰ１の量は、入出金機パネル１４の後端面に対する第１ポスト当接面５６の前後方向の位置により設定することができる。すなわち入出金機筐体１５に対するロック機構３１の取り付け位置を後方へ移動させるか、又はロックレバー３２の前後方向の長さを長く形成することにより、入出金機パネル１４に対し第１ポスト当接面５６を後方へ位置させる程、隙間ＳＰ１は大きくなる。
【００９７】
第１停止状態において行員が解除レバー２９を引きつつ入出金機筐体１５をさらに押し込むと、入出金機筐体１５はユニットロック位置まで移動して停止する。
【００９８】
このように紙幣入出金機２は、解除レバー２９を引かずに行員が入出金機筐体１５をシステム筐体１３に押し込んだ場合、ユニットロック位置よりも前に、第１停止位置において入出金機筐体１５の移動を一旦停止させる。
【００９９】
また第１停止状態において行員が解除レバー２９を操作しながら入出金機筐体１５をさらに押し込んだときに、紙幣入出金機２は当該入出金機筐体１５をユニットロック位置まで移動し得るようにした。
【０１００】
すなわち紙幣入出金機２は、２段階で入出金機筐体１５を停止させることにより、行員の指挟みを防止することができる。
【０１０１】
また行員は、第１停止状態において、隙間ＳＰ１から開口部１３Ａの奥へ指を入れて入出金機筐体１５の後方に設けられたレバーを操作する等の危険な操作をする必要なく、指を挟むおそれがない入出金機パネル１４前面に設けられた解除レバー２９を操作することにより、入出金機筐体１５をユニットロック位置まで移動させることができる。
【０１０２】
またロック部３０は、従来のロック部２３０（図２４）に比較して、第２レバー３４が追加されているが、当該第２レバー３４はロックレバー３２の回動に応じて従動して動くので、行員は第２レバー３４を別途操作するという煩雑な作業を行う必要がない。
【０１０３】
［１−５−２．解除レバーを引きつつ入出金機筐体を押し込んだ場合］
一方、行員が解除レバー２９を引きつつ入出金機筐体１５を押し込んだ場合、図１１に示すように、トーションスプリング３８によりロックレバー３２と第２レバー３４とは互いに閉じる方向へ付勢されつつ、解除レバー２９により非ロック状態よりも反時計回りへ回動する。
【０１０４】
この状態において第２レバー３４は、図示しない回転限度制限部材に当接することによりこれ以上の反時計回りの回動が規制され、第２ポスト当接面６０がロックポスト３３と同じ高さに位置している。
【０１０５】
ロック機構３１がロックポスト３３へ向かって後方へ移動すると、図１２に示すように、第２レバー３４の第２ポスト当接面６０にロックポスト３３が当接する。
【０１０６】
このとき第３頂点６８がポスト中心３３Ｃよりも下側にあり、且つ鉛直方向に沿って延びる第２ポスト当接面６０に対し、ロック軸３６と同じ高さに位置しているロックポスト３３が水平方向に沿って当接するため、ロックレバー３２はほとんど回動しない。
【０１０７】
これにより入出金機筐体１５は、第２ポスト当接面６０がロックポスト３３に突き当たった状態で停止する。以下では、この状態における入出金機筐体１５の位置を第２停止位置とも呼び、第２停止位置に入出金機筐体１５が位置している状態を第２停止状態とも呼ぶ。
【０１０８】
第２停止状態において行員が入出金機筐体１５を僅かに手前に引き出した後に手を離すと、スプリングの付勢力により、ロックレバー３２及び第２レバー３４は時計回りに回動し、図５に示したように非ロック状態となる。
【０１０９】
非ロック状態から行員が入出金機筐体１５を押し込むと、上述した、解除レバー２９を引かずに入出金機筐体１５を押し込んだ場合の動作を経て、入出金機筐体１５はユニットロック位置にロックされる。
【０１１０】
このように、解除レバー２９を引きつつ行員が入出金機筐体１５をシステム筐体１３に押し込んだ場合、第２ポスト当接面６０が第１ポスト当接面５６よりも後方に位置しているため、上述した第１停止位置よりも前側に設定された第２停止位置において入出金機筐体１５の移動が停止する。
【０１１１】
この第２停止位置は、ユニットロック位置よりも手前の第１停止位置よりもさらに手前であるため、図１３に示すようにシステム筐体１３と入出金機パネル１４との間には、隙間ＳＰ１よりも広い隙間ＳＰ２が存在する。このため、行員が入出金機筐体１５に指を掛けていたとしても、入出金機パネル１４とシステム筐体１３との間に指を挟んでしまうことはない。
【０１１２】
この隙間ＳＰ２の量は、入出金機パネル１４の後端面に対する第２ポスト当接面６０の前後方向の位置により設定することができる。すなわち入出金機筐体１５に対するロック機構３１の取り付け位置を後方へ移動させるか、又は第２レバー３４の前後方向の長さを長く形成することにより、入出金機パネル１４に対し第２ポスト当接面６０を後方へ位置させる程、隙間ＳＰ２は大きくなる。
【０１１３】
また、第１停止位置と第２停止位置との前後方向の間隔は、第１ポスト当接面５６と第２ポスト当接面６０との前後方向の間隔を変更することにより調整できる。すなわち第１ポスト当接面５６に対し第２ポスト当接面６０を後方へ位置させる程、すなわち第２レバー３４の前後方向の長さを長くするほど間隔は大きくなる。
【０１１４】
第２停止状態において行員が解除レバー２９から手を離した後、入出金機筐体１５を押し込むと、当該入出金機筐体１５は第１停止位置まで移動して停止する。第１停止状態において行員が解除レバー２９を引きつつ入出金機筐体１５をさらに押し込むと、入出金機筐体１５はユニットロック位置まで移動して停止する。
【０１１５】
［１−５−３．入出金機筐体を引き出す場合］
一方入出金機筐体１５を引き出す場合、図９に示したロック状態から、行員が解除レバー２９を引くことにより、ロックレバー３２及び第２レバー３４に対し反時計回りに回動する力を加える。
【０１１６】
このとき、図１４に示すように第２ポスト摺動面６２にロックポスト３３が上から当接することにより、第２レバー３４の反時計回りの回動が規制され、ロックレバー３２のみ反時計回りに回動し、凸部４６がポスト中心３３Ｃよりも上方に移動する。
【０１１７】
行員が解除レバー２９を引きながら入出金機筐体１５を引き出すと、第２ポスト摺動面６２がロックポスト３３に摺動しつつ、ロック機構３１が前方へ移動する。
【０１１８】
さらに入出金機筐体１５が引き出されると、第２頂点６６がロックポスト３３の下側に当接しつつ前方へ通過し、第２レバー３４がロックポスト３３から外れて図１１に示したように反時計回りに回動することによりロックが外れ、行員は入出金機筐体１５を引き出すことができる。
【０１１９】
［１−６．動作及び効果］
以上の構成において、紙幣入出金機２は、解除レバー２９を引かずに行員が入出金機筐体１５をシステム筐体１３に押し込んだ場合、ユニットロック位置よりも前に第１停止位置で入出金機筐体１５を停止させる一方、解除レバー２９を引きつつ入出金機筐体１５をシステム筐体１３に押し込んだ場合、第１停止位置よりもさらに前に第２停止位置で入出金機筐体１５を停止させるようにした。
【０１２０】
このように紙幣入出金機２は、行員が解除レバー２９を引いていた場合と引いていなかった場合のどちらであっても、ユニットロック位置よりも手前で一旦入出金機筐体１５の移動を停止させる。
【０１２１】
さらに紙幣入出金機２は、入出金機筐体１５が一旦停止した状態から解除レバー２９を操作させる（すなわち、解除レバー２９を引かずに第１停止状態になった場合は解除レバー２９を引かせる一方、解除レバー２９を引いて第２停止状態になった場合は解除レバー２９から手を離させる）という同一の操作によって、入出金機筐体１５をユニットロック位置へ向かわせることができるため、操作性に統一感をもたせることができる。
【０１２２】
また解除レバー２９を引かずに入出金機筐体１５を押し込むと第１停止位置において一旦停止してしまうため、行員が最初から解除レバー２９を引きつつ入出金機筐体１５を押し込むことが考えられる。
【０１２３】
そのような場合に入出金機筐体１５が一気にユニットロック位置まで押し込まれてしまうと、指挟みの危険があるため、紙幣入出金機２は、行員が解除レバー２９を引きながら入出金機筐体１５を押し込んでしまった場合であっても、ユニットロック位置よりも手前の第２停止位置で一旦停止させるようにした。
【０１２４】
これにより紙幣入出金機２は、行員が入出金機筐体１５を押し込んだ場合、ユニットロック位置まで一気に入出金機筐体１５を移動させずに、手前で一旦停止させることができ、行員の指挟みを防止できる。
【０１２５】
以上の構成によれば、紙幣入出金機２は、行員が解除レバー２９を引かずに入出金機筐体１５をシステム筐体１３に押し込んだ際はロックレバー３２の第１ポスト当接面５６にロックポスト３３を当接させる一方、行員が解除レバー２９を引きながら入出金機筐体１５をシステム筐体１３に押し込んだ際は第２レバー３４の第２ポスト当接面６０にロックポスト３３を当接させるようにした。
【０１２６】
これにより紙幣入出金機２は、解除レバー２９を行員が操作しているかいないかに拘わらず、入出金機筐体１５を押し込んだ場合、ユニットロック位置の前に一旦入出金機筐体１５を停止させることができる。
【０１２７】
［２．第２の実施の形態］
図１に示す第２の実施の形態による紙幣入出金機１０２は、第１の実施の形態による紙幣入出金機２と比較して、図１５及び図１６に示すロック部１３０が、紙幣入出金機２におけるロック部３０（図２及び図３）と異なっているものの、それ以外は同様に構成されている。
【０１２８】
また第２の実施の形態によるロック部１３０は、第１の実施の形態によるロック部３０と比較して、図１７に示すようにロックレバー１３２の形状がロックレバー３２とは異なり、ロックポスト３３に加えて当接ポスト７２が追加される一方、第２レバー３４が省略されている。
【０１２９】
［２−１．ロック部の構成］
入出金機筐体１５の引出状態においてロック機構１３１がロックポスト３３に掛止していない非ロック状態を図１７に示すように、ロック部１３０は、ロックポスト３３と、当接ポスト７２と、ロックポスト３３に掛止するロック機構１３１とにより構成されている。
【０１３０】
当接ポスト７２は円筒形状でなり、システム筐体１３の右壁の内側面においてロックポスト３３の前方上側に取り付けられている。
【０１３１】
ロック機構１３１は、入出金機筐体１５に固定された円筒形状でなるロック軸３６を中心として回動可能なロックレバー１３２により構成されている。
【０１３２】
ロックレバー１３２には、当該ロックレバー１３２の上端面であるレバー上端面７４からポスト当接部７０が非ロック状態において鉛直方向に沿って突設している。
【０１３３】
またロックレバー１３２は、図示しない回転限度制限部材が当接することにより、時計回り及び反時計回りの回動の限界角度が規制されている。これによりロックレバー１３２は、ロック軸３６を中心として図１７中時計回り及び反時計回りに一定の角度範囲で回動可能に構成されている。
【０１３４】
ポスト当接部７０の上端部は、当接ポスト７２の最下点である当接ポスト最下点７２Ｌよりも非ロック状態において下側に位置している。
【０１３５】
［２−２．ロック部の動作］
［２−２−１．解除レバーを引かずに入出金機筐体を押し込んだ場合］
行員が解除レバー２９を引かずに入出金機筐体１５を押し込んだ場合、入出金機筐体１５と共にロック機構１３１がロックポスト３３へ向かって水平方向に沿って後方へ移動する。
【０１３６】
ロックレバー１３２がロックポスト３３に向かって後方へ移動すると、図１８に示すようにロックレバー１３２の第１ポスト当接面５６にロックポスト３３が当接する。このとき、ポスト当接部７０の上端部が当接ポスト最下点７２Ｌよりも下側に位置しているため、ポスト当接部７０は当接ポスト７２に接触しない。
【０１３７】
これにより入出金機筐体１５は、第１ポスト当接面５６がロックポスト３３に突き当たった状態で停止する。以下では、この状態における入出金機筐体１５の位置を第３停止位置とも呼び、第３停止位置に入出金機筐体１５が位置している状態を第３停止状態とも呼ぶ。第３停止状態においては、ポスト当接部７０は当接ポスト７２よりも後側に位置している。
【０１３８】
第３停止状態から行員が解除レバー２９を操作すると、ロックレバー１３２は反時計回りに回動し、さらに行員が入出金機筐体１５を押し込むと、第１ポスト摺動面５８がロックポスト３３に乗り上がることにより、ロック機構１３１はさらに後方へ移動する。
【０１３９】
凸部４６がロックポスト３３を乗り越える際、図１９に示すようにポスト当接部７０が当接ポスト７２よりも後側に位置しているため、当該ポスト当接部７０が当接ポスト７２に当接することはない。
【０１４０】
やがて入出金機筐体１５がユニットロック位置に達してそれ以上後方へ移動しなくなったとき、行員が解除レバー２９から手を離すことにより、ロックレバー１３２は時計回りに回動し、図２０に示すように凹部４２がロックポスト３３に掛止し、ロック状態となる。
【０１４１】
このように、解除レバー２９を引かずに行員が入出金機筐体１５をシステム筐体１３に押し込んだ場合、紙幣入出金機１０２は、第１の実施の形態と同様にロックポスト３３に第１ポスト当接面５６を当接させることにより、ユニットロック位置よりも手前に位置する第３停止位置において入出金機筐体１５の後方への移動を停止させるようにした。
【０１４２】
また第３停止状態において行員が解除レバー２９を操作しながら入出金機筐体１５をさらに押し込んだときに、紙幣入出金機１０２は当該入出金機筐体１５をユニットロック位置まで移動し得るようにした。
【０１４３】
［２−２−２．解除レバーを引きつつ入出金機筐体を押し込んだ場合］
一方、行員が解除レバー２９を引きつつ入出金機筐体１５を押し込んだ場合、ロックレバー１３２は非ロック状態よりも反時計回りへ回動する。
【０１４４】
このままロック機構１３１がロックポスト３３へ向かって後方へ移動すると、図２１に示すように、ポスト当接部７０が当接ポスト７２に当接する。
【０１４５】
このとき、ポスト当接部７０の上端部は当接ポスト７２の中心である当接ポスト中心７２Ｃよりも上側に位置している。さらにロック機構１３１が後方へ押し込まれると、ロックレバー１３２は反時計回りに回転し、図２２に示すようにレバー上端面７４が当接ポスト７２に下側から当接することにより、それ以上反時計回りに回転しなくなる。
【０１４６】
これにより入出金機筐体１５は、ポスト当接部７０及びレバー上端面７４が当接ポスト７２に突き当たった状態で停止する。以下では、この状態における入出金機筐体１５の位置を第４停止位置とも呼び、第４停止位置に入出金機筐体１５が位置している状態を第４停止状態とも呼ぶ。
【０１４７】
第４停止状態において行員が入出金機筐体１５を僅かに手前に引き出した後に手を離すと、スプリングの付勢力により、ロックレバー１３２は時計回りに回動し、図１７に示したように非ロック状態となる。
【０１４８】
非ロック状態から行員が入出金機筐体１５を押し込むと、上述した、解除レバー２９を引かずに入出金機筐体１５を押し込んだ場合の動作を経て、入出金機筐体１５はユニットロック位置にロックされる。
【０１４９】
因みに、図１７に示した非ロック状態において僅かに解除レバー２９を引くことにより、ポスト当接部７０の上端部が当接ポスト中心７２Ｃよりも下側に位置した状態でポスト当接部７０が当接ポスト７２に当接した場合、当該ポスト当接部７０が当接ポスト７２の下側に接触しながら後方へ移動することにより、ロックレバー１３２は時計回りに回転し、上述した第３停止状態となる。
【０１５０】
このように、解除レバー２９を引きつつ行員が入出金機筐体１５をシステム筐体１３に押し込んだ場合、ポスト当接部７０が第１ポスト当接面５６よりも前方に位置しているため、上述した第３停止位置よりも後側に設定された第４停止位置において入出金機筐体１５の移動が停止する。
【０１５１】
第４停止状態において行員が解除レバー２９から手を離した後、入出金機筐体１５を押し込むと、当該入出金機筐体１５は第３停止位置まで移動して停止する。第３停止状態において行員が解除レバー２９を引きつつ入出金機筐体１５をさらに押し込むと、入出金機筐体１５はユニットロック位置まで移動して停止する。
【０１５２】
このように紙幣入出金機１０２は、当接ポスト７２を、行員が解除レバー２９を引いていない場合はポスト当接部７０に当接しない一方、行員が解除レバー２９を引いていた場合はポスト当接部７０に当接する位置に設けるようにした。
【０１５３】
［２−２−３．入出金機筐体を引き出す場合］
一方入出金機筐体１５を引き出す場合、図２０に示したロック状態から、行員が解除レバー２９を引くことにより、ロックレバー１３２を反時計回りに回動させる。
【０１５４】
行員が解除レバー２９を引きながら入出金機筐体１５を引き出すと、図１９に示したように凸部４６がロックポスト３３に接触しつつ乗り越え、ロック機構１３１が前方へ移動する。
【０１５５】
さらに入出金機筐体１５が引き出されると、ロックレバー１３２がロックポスト３３から外れて図１７に示したようにロックが外れ、行員は入出金機筐体１５を引き出すことができる。
【０１５６】
［２−３．動作及び効果］
以上の構成において、紙幣入出金機１０２は、解除レバー２９を引かずに行員が入出金機筐体１５をシステム筐体１３に押し込んだ場合、ユニットロック位置よりも前の第３停止位置で入出金機筐体１５を停止させる一方、解除レバー２９を引きつつ入出金機筐体１５をシステム筐体１３に押し込んだ場合、第４停止位置で入出金機筐体１５を停止させるようにした。
【０１５７】
このように紙幣入出金機１０２は、行員が解除レバー２９を引いていた場合と引いていなかった場合のどちらであっても、ユニットロック位置よりも手前で一旦入出金機筐体１５の移動を停止させる。
【０１５８】
さらに紙幣入出金機１０２は、入出金機筐体１５が一旦停止した状態から解除レバー２９を操作させる（すなわち、解除レバー２９を引かずに第３停止状態になった場合は解除レバー２９を引かせる一方、解除レバー２９を引いて第４停止状態になった場合は解除レバー２９から手を離させる）という同一の操作によって、入出金機筐体１５をユニットロック位置へ向かわせることができるため、操作性に統一感をもたせることができる。
【０１５９】
また解除レバー２９を引かずに入出金機筐体１５を押し込むと第３停止位置において一旦停止してしまうため、行員が最初から解除レバー２９を引きつつ入出金機筐体１５を押し込むことが考えられる。
【０１６０】
そのような場合に入出金機筐体１５が一気にユニットロック位置まで押し込まれてしまうと、指挟みの危険があるため、紙幣入出金機１０２は、行員が解除レバー２９を引きながら入出金機筐体１５を押し込んでしまった場合であっても、ユニットロック位置よりも手前の第４停止位置で一旦停止させるようにした。
【０１６１】
これにより紙幣入出金機１０２は、行員が入出金機筐体１５を押し込んだ場合、ユニットロック位置まで一気に入出金機筐体１５を移動させずに、手前で一旦停止させることができ、行員の指挟みを防止できる。
【０１６２】
また紙幣入出金機１０２は、ロック部３０（図５）と比較して、可動する第２レバー３４を省略できるため、簡易な構成により行員の指挟みを防止できる。
【０１６３】
以上の構成によれば、紙幣入出金機１０２は、行員が解除レバー２９を引かずに入出金機筐体１５をシステム筐体１３に押し込んだ際はロックレバー１３２の第１ポスト当接面５６にロックポスト３３を当接させる一方、行員が解除レバー２９を引きながら入出金機筐体１５をシステム筐体１３に押し込んだ際はロックレバー１３２のポスト当接部７０に当接ポスト７２を当接させるようにした。
【０１６４】
これにより紙幣入出金機１０２は、入出金機筐体１５を押し込んだ場合、解除レバー２９を行員が操作しているかいないかに拘わらず、ユニットロック位置の前に一旦入出金機筐体１５を停止させることができる。
【０１６５】
［３．他の実施の形態］
なお上述した実施の形態においては、円筒形状でなるロックポスト３３について述べた。本発明はこれに限らず、多角形又は板状等、種々の形状のロックポストであっても良い。要はロックポストは、ロックレバー３２を掛止でき、第１ポスト当接面５６又は第２ポスト当接面６０に当接することによりロック機構３１の移動を停止させると共に、第１ポスト摺動面５８又は第２ポスト摺動面６２に対し摺動することによりロック機構３１を移動させるものであれば良い。
【０１６６】
また上述した実施の形態においては、同一の軸でなるロック軸３６を中心としてロックレバー３２及び第２レバー３４が回動する場合について述べた。本発明はこれに限らず、ロックレバー３２と第２レバー３４とは、互いに異なる軸を中心として回動しても良い。
【０１６７】
さらに上述した実施の形態においては、図７に示したように、鉛直方向に沿って延びる第１ポスト当接面５６に対しロックポスト３３が水平方向に沿って当接すると共に、ポスト中心３３Ｃとロック軸中心３６Ｃとが同じ高さに位置する場合について述べた。
【０１６８】
本発明はこれに限らず、要は、図７に示したロック軸中心３６Ｃとポスト中心３３Ｃとを通る仮想線Ｌ１がロックポスト３３の外周面と接する部分における接線Ｌ２に第１ポスト当接面５６が沿うか、若しくは接線Ｌ２よりも図中反時計回りに傾いていれば良い。
【０１６９】
第１ポスト当接面５６が接線Ｌ２よりも図中反時計回りに傾いていた場合、ロックポスト３３が第１ポスト当接面５６に当接すると、ロックレバー３２は時計回りに回動しようとするが、回転抑止軸４０に当接部４８が当接するため時計回りの回動が防止される。これによりロックレバー３２は、入出金機筐体１５を第１停止位置で確実に停止させることができる。
【０１７０】
さらに上述した実施の形態においては、図１２に示したように、鉛直方向に沿って延びる第２ポスト当接面６０に対しロックポスト３３が水平方向に沿って当接すると共に、ポスト中心３３Ｃとロック軸中心３６Ｃとが同じ高さに位置する場合について述べた。
【０１７１】
本発明はこれに限らず、要は、図１２に示したロック軸中心３６Ｃとポスト中心３３Ｃとを通る仮想線Ｌ３がロックポスト３３の外周面と接する部分における接線Ｌ４に第２ポスト当接面６０が沿っていれば良い。
【０１７２】
さらに上述した実施の形態においては、解除レバー２９を操作することによりロックレバー３２及び第２レバー３４を回動させる場合について述べた。本発明はこれに限らず、ロックレバー３２と第２レバー３４とを異なる解除レバーにより回動させても良い。
【０１７３】
また、システム筐体１３から入出金機筐体１５を引き出すときと押し込むときとで異なる解除レバーを用いても良い。また、行員が指を引っ掛けて入出金機筐体１５を手前に引き出す部材と、ロックレバー３２及び第２レバー３４を回動させる解除レバー２９とは異なる箇所に設けられていても良い。
【０１７４】
さらに上述した実施の形態においては、システム筐体１３に対し入出金機筐体１５を水平方向に沿って移動させる場合について述べた。本発明はこれに限らず、システム筐体に対し入出金機筐体を上下方向に沿って移動させる場合にも本発明を適用して良い。
【０１７５】
さらに上述した実施の形態においては、ロック軸３６を中心としてロックレバー３２及び第２レバー３４を回動させる場合について述べた。本発明はこれに限らず、ロックレバーに対し第２レバーを上下に平行移動させる等、種々の動作を行っても良い。
【０１７６】
さらに上述した実施の形態においては、入出金機筐体１５をシステム筐体１３にロックする際に本発明を適用する場合について述べたが、本発明はこれに限らず、システム筐体１３に対しスライドして引き出し可能な種々のユニットをシステム筐体１３にロックする際に適用しても良い。
【０１７７】
さらに上述した実施の形態においては、入出金機筐体１５をシステム筐体１３の前側へ移動させることにより、その殆どをシステム筐体１３の外部へ引き出した引出状態とするようにした場合について述べた。
【０１７８】
本発明はこれに限らず、例えば入出金機筐体１５をシステム筐体１３の後側へ移動させることにより引出状態とするようにしても良い。
【０１７９】
さらに上述した実施の形態においては、入出金機筐体１５がシステム筐体１３の内部に収納され又はその外部へ引き出される出納システム１に本発明を適用するようにした場合について述べた。
【０１８０】
本発明はこれに限らず、例えば紙幣処理部（図示せず）等の各部が筐体の内部に収納され又はその外部へ露出される現金自動預払機に本発明を適用しても良い。
【０１８１】
さらに上述した実施の形態においては、紙幣等の現金を入出する出納システム１の紙幣入出金機２において、媒体としての紙幣について搬送処理及び収納処理等の各処理を行うようにした場合について述べた。
【０１８２】
しかしながら本発明はこれに限らず、例えば商品券や金券、入場券等のような薄い紙状の媒体を搬送処理及び収納処理等の各処理を行う種々の装置に適用するようにしても良い。
【０１８３】
さらに上述した実施の形態においては、筐体としてのシステム筐体１３と、引出としての入出金機筐体１５と、ロックポストとしてのロックポスト３３と、ロックレバーとしてのロックレバー３２と、第２レバーとしての第２レバー３４とによって引出装置としての紙幣入出金機２を構成する場合について述べた。
【０１８４】
しかしながら本発明はこれに限らず、その他種々の構成でなる筐体と、引出と、ロックポストと、ロックレバーと、第２レバーとによって引出装置を構成するようにしても良い。
【産業上の利用可能性】
【０１８５】
本発明は、筐体に収納された状態で所定の処理を実行する一方、筐体から引き出されてその一部又は全部を露出させるような引出機構を有する種々の機器でも利用できる。
【符号の説明】
【０１８６】
１……出納システム、２、１０２……紙幣入出金機、３……施封小束支払機、４……紙幣補充回収機、５……新券支払機、６……棒金支払機、７……硬貨入出金機、８……認証プリンタ、９……現金外ポスト、１０……ディスプレイ、１１……キーボード、１２……制御装置、１３……システム筐体、１３Ａ……開口部、１４……入出金機パネル、１５……入出金機筐体、１６……制御部、１７……紙幣引渡部、１８……紙幣返却部、１９……紙幣受取部、２０……入金紙幣鑑別部、２１……リジェクト庫、２２……一時保留ユニット、２３……一時保留部、２４……出金紙幣鑑別部、２５……紙幣収納ユニット、２６……紙幣収納庫、２７……搬送路、２８……スライドレール、２９……解除レバー、３０、１３０、２３０……ロック部、３１、１３１……ロック機構、３２、１３２、２３２……ロックレバー、３３……ロックポスト、３３Ｃ……ポスト中心、３３Ｒ……ポスト直径、３３Ｌ……ポスト最下点、３４……第２レバー、３６……ロック軸、３６Ｃ……ロック軸中心、３８……トーションスプリング、４０……回転抑止軸、４２……凹部、４４……掛止部、４６……凸部、４８……当接部、４９……近接抑止部、５０……巻装部、５２……上腕部、５４……下腕部、５５……突出部、５６……第１ポスト当接面、５８、２５８……第１ポスト摺動面、６０……第２ポスト当接面、６２……第２ポスト摺動面、６４……第１頂点、６６……第２頂点、６８……第３頂点、７０……ポスト当接部、７２……当接ポスト、７２Ｃ……当接ポスト中心、７２Ｌ……当接ポスト最下点、７４……レバー上端面、ＳＰ１、ＳＰ２……隙間。
【図１】
2014098998.tif 000003
【図２】
2014098998.tif 000004
【図３】
2014098998.tif 000005
【図４】
2014098998.tif 000006
【図５】
2014098998.tif 000007
【図６】
2014098998.tif 000008
【図７】
2014098998.tif 000009
【図８】
2014098998.tif 000010
【図９】
2014098998.tif 000011
【図１０】
2014098998.tif 000012
【図１１】
2014098998.tif 000013
【図１２】
2014098998.tif 000014
【図１３】
2014098998.tif 000015
【図１４】
2014098998.tif 000016
【図１５】
2014098998.tif 000017
【図１６】
2014098998.tif 000018
【図１７】
2014098998.tif 000019
【図１８】
2014098998.tif 000020
【図１９】
2014098998.tif 000021
【図２０】
2014098998.tif 000022
【図２１】
2014098998.tif 000023
【図２２】
2014098998.tif 000024
【図２３】
2014098998.tif 000025
【図２４】
2014098998.tif 000026
【図２５】
2014098998.tif 000027